(57)【要約】      （修正有）【課題】人体の内面部に低周波の電磁パルスを装着、通電し、括約筋等のインナーマッスルの筋力強化或いは筋肉の凝りを緩和させる等、括約筋等の人体内部の筋肉機能の正常化を則し、括約筋等のインナーマッスルの強化及び機能の正常化を図る。【解決手段】高電圧、低周波の電磁パルスを  肛門内、或いは膣内等の筋力強化を要する部位に当て、通電する事により、肛門、或いは膣の周囲にある括約筋等を刺激し、括約筋等の筋力強化、及び機能の正常化を促す機能を有する事により、この課題を解決する。【選択図】なし【特許請求の範囲】
【請求項１】
高電圧、低周波の電磁パルスを  肛門内、或いは膣内等の筋力強化を要する部位に当て通電する事によって、肛門、或いは膣の周囲にある括約筋等のインナーマッスルを刺激し、括約筋等の筋力強化、及び機能の正常化を促す機能を有する事を特徴とする括約筋強化装置。
【発明の詳細な説明】
【技術分野】
【０００１】
本発明は、高電圧、低周波の電磁パルスを  肛門内、或いは膣内等の筋力強化を要する部位に当て、通電する事によって、肛門、或いは膣の周囲にある括約筋等のインナーマッスルを刺激し、括約筋等の筋力強化、及び機能の正常化を促す機能を有する事を特徴とする括約筋強化装置に関するものである。
【背景技術】
【０００２】
従来、高電圧、低周波の電磁パルスを人体の筋力強化、或いは筋肉機能の正常化を要する人体の表面部に装着、通電し、筋力強化、或いは筋肉の凝りを緩和させる等、筋肉機能の正常化を則す低周波治療器等があった。
【発明の開示】
【発明が解決しようとする課題】
【０００３】
しかしながら、従来の低周波治療器等には、人体の表面部に高電圧、低周波の電磁パルスを装着、通電し、筋力強化或いは筋肉の凝りを緩和させる等、筋肉機能の正常化を則すものはあるが、人体の内面部に低周波の電磁パルスを装着、通電し、括約筋等のインナーマッスルの筋力強化或いは筋肉の凝りを緩和させる等、括約筋等の人体内部の筋肉機能の正常化を則すものは無く、括約筋等のインナーマッスルの強化及び機能の正常化は困難であった。因って、老齢の括約筋等の弛緩による尿漏れの治癒、又、産後の子宮収縮等子宮機能の治癒等は共に困難であり、日本における高齢化、及び少子化問題の一要因となっている。
【課題を解決するための手段】
【０００４】
本発明は、高電圧、低周波の電磁パルスを  肛門内、或いは膣内等の筋力強化を要する部位に当て、通電する事により、肛門、或いは膣の周囲にある括約筋等を刺激し、括約筋等の筋力強化、及び機能の正常化を促す機能を有する。以上を特徴とする括約筋強化装置である。
【発明の効果】
【０００５】
人体の内面部に高電圧、低周波の電磁パルスを装着、通電し、括約筋等のインナーマッスルの強化及び機能の正常化を則す機能を有し、老齢の括約筋等の弛緩による尿漏れの治癒、又、産後の子宮収縮等子宮機能の治癒等が可能となる。
【発明を実施するための最良の形態】
【０００６】
高電圧、低周波の電磁パルスの一対の電極の一方を肛門内、或いは膣内に挿入可能な棒状及び筒状の形態を有し、他方を腹部、或いは臀部等人体表面部に装着可能な板状の形態を有し、高電圧、低周波パルスを装着、通電する事により肛門、及び膣の周囲にある括約筋及び腹筋、或いは臀筋等の筋力強化、及び機能の正常化を促す機能を有する形態。
【０００７】
又、高電圧、低周波の電磁パルスの一対の電極の一方を肛門内、他方を膣内に挿入可能な棒状及び筒状の形態を有し、高電圧、低周波パルスを装着、通電する事により括約筋全体を肛門、膣双方から刺激し、括約筋全体の筋力強化、及び機能の正常化を促す機能を有する形態。
【０００８】
又、０００６に記載の形態の高電圧、低周波の電磁パルス先端部に大きさの異なる棒状及び筒状の構造体を脱着可能にし、高電圧、低周波パルスを装着、通電する事により、産後の子宮弛緩等の症状に合わせた適切な治療が可能な形態。
【０００９】
又、 高電圧、低周波の電磁パルス先端のパルスパッドを脱着可能にし、０００６及び、０００７及び０００８に記載の形態が有する機能を併せ持つ形態。以上が、本発明を実施するための最良の形態である。
【手続補正書】
【提出日】平成18年8月23日(2006.8.23)
【手続補正１】
【補正対象書類名】特許請求の範囲
【補正対象項目名】全文
【補正方法】変更
【補正の内容】
【特許請求の範囲】
【請求項１】
高電圧、低周波の電磁パルスを人体に装着された電極を通じて通電する事によって低周波治療を行う装置に於いて、
電磁パルスの一対の電極の一方を肛門内、或いは膣内等の筋肉強化を要する部位に挿入可能な棒状及び筒状の形態を有し、他方を腹部や臀部等人体表面部に装着可能な板状の形態を有し、
高電圧、低周波の電磁パルスを当て、通電する事によって、
肛門括約筋、或いは膣括約筋全体に適度な電気的刺激を与え、括約筋全体の筋力強化、及び機能の正常化を促す機能を有する事を特徴とする括約筋強化装置。  
【請求項２】
高電圧、低周波の電磁パルスの一対の電極の一方を肛門内、他方を膣内に挿入可能な棒状及び筒状の形態を有し、高電圧、低周波パルスを当て、通電する事によって、
肛門括約筋、及び膣括約筋双方から括約筋全体に適度な電気的刺激を与え、
括約筋全体の筋力強化、及び機能の正常化を促す機能を有する事を特徴とする請求項１に記載の括約筋強化装置。
【請求項３】
高電圧、低周波の電磁パルス先端部を脱着可能にし、又、電磁パルス先端部のパーツとしての大きさの異なる構造体を複数設ける事により、
電磁パルスの一対の電極の一方を産後の膣弛緩患部の大きさに合わせて挿入する事を可能とし、産後の膣弛緩患部の様々な症状に合わせた適切な電気的刺激による筋肉組織の治癒を促す機能を有する事を特徴とする請求項１及び請求項２に記載の括約筋強化装置。
【手続補正２】
【補正対象書類名】明細書
【補正対象項目名】全文
【補正方法】変更
【補正の内容】
【発明の詳細な説明】
【技術分野】
【０００１】
本発明は、高電圧、低周波の電磁パルスを、人体に装着された電極を通じて通電する事によって、低周波治療を行う装置に於いて、
電磁パルスの一対の電極の一方を肛門内、或いは膣内に挿入可能な棒状及び筒状の形態を有し、他方を腹部や臀部等人体表面部に装着可能な形態、或いは肛門内や膣内に挿入可能な棒状及び筒状の形態を有し、高電圧、低周波の電磁パルスを当て、通電する事により、肛門括約筋、或いは膣括約筋全体に適度な電気的刺激を行き渡らせ、弛緩した括約筋全体の筋力強化、及び機能の正常化を促す機能を有する事を特徴とする括約筋強化装置に関するものである。
【背景技術】
【０００２】
従来、高電圧、低周波の電磁パルスを、人体に装着された電極を通じて通電する事によって、低周波治療を行う装置に於いて、電磁パルスを肛門内に装着、通電する事によって、弛緩した肛門括約筋の筋力強化を試みる装置として括約筋治療器等があった。
【特許文献１】特開２００５−１３７４３８号公報
【特許文献２】特開平１１−１９２２３号公報  又、電磁パルスを膣内に装着、通電する事によって、弛緩した膣括約筋の筋力強化を試みる装置として膣括約筋回復器等があった。
【特許文献３】実願昭６１−９６３０４号（実開昭６３−１５４４号）のマイクロフィルム
【発明の開示】
【発明が解決しようとする課題】
【０００３】
しかしながら、従来の括約筋等の筋力強化を促すとされる技術である特許文献１の肛門治療器、及び特許文献２の尿失禁治療装置は、
肛門括約筋の治療に求められる「外肛門括約筋と内肛門括約筋の組織構造及び自律神経系への配慮」と、
筋肥大に於ける必須条件である「筋肉への負荷と自然治癒力とのバランスへの配慮」があまり成されておらず、むしろ内肛門括約筋及びそれに関わる自律神経系へのダメージが生じる恐れと、それにより身体機能の異常を誘発する危険性を有していた。
具体的には、括約筋等の筋力強化を促すとされる従来の技術である特許文献１及び特許文献２の装置は、肛門括約筋が外活筋（外肛門括約筋）が内活筋（内肛門括約筋）の外側を覆う様にして構成されており、又、外活筋は随意筋（意志によって動かす事のできる筋肉）、内活筋は不随意筋（意志によって動かす事のできない筋肉）である事に対して、充分な考慮が為された形態ではなく、この事柄は自律神経系システム及び自然治癒力へのダメージに繋がる危険性を有するものである。（詳細を以下に記する。）
【０００４】
特許文献１及び特許文献２の治療器は、肛門括約筋の治療に於ける必須条件と云える「内活筋に過剰な負荷をかけずに外活筋には充分な刺激を与え、肛門括約筋全体に満遍なく刺激を与える」という基本的要素が満たされていない。
肛門括約筋の外活筋は随意性を有する随意筋であり、これは外活筋が意識的な便の排出コントロール機能を有する筋肉組織である事を意味し、従って、肛門括約筋の治療に於いて外活筋への充分な刺激は必須である。
又、内活筋は随意性を有さない不随意筋であり、これは内活筋が自律神経系と深く関わる筋肉組織であるという事を意味し、従って、内活筋への過剰な電磁的刺激は、その筋機能と自律神経系へのダメージに繋がる為、避けなければならない。
これらの事から、肛門括約筋の治療に於いて、内活筋に過剰な負荷を掛けずに外活筋には充分な刺激を与える事は必須条件であると云えるのであるが、
特許文献１及び特許文献２の治療器は、肛門内に挿入される電磁パルスが一対の電極の両極を有する構造体である為、必然的に外活筋への充分な電気的刺激を与えると、内活筋に対して電気的刺激が強すぎてしまう傾向を有する事に起因し、内活筋とそれに関わる自律神経系を傷める危険性が生じるのである。
【０００５】
外活筋（外肛門括約筋）は、内活筋の外側に位置している事から、括約筋治療器を肛門内に挿入しての外活筋への電気的刺激は、必然的に内活筋を伝って行われる形になる。
これにより、外活筋への電気的刺激が、特許文献１及び特許文献２の装置の様に、
肛門内に挿入される電磁パルスが一対の電極の両極を有する構造体である場合、
括約筋治療器による括約筋への電気的刺激が肛門内からのアプローチのみで行われる為、外活筋への刺激はあまり望めず、又、外活筋への充分な電気的刺激を与える為には、ある程度強い電圧力を要する事を意味し、従って、内活筋に過剰な負荷を負わせ、内活筋及びそれに深く関わる自律神経系を傷める危険性が生じてしまう。
何故ならば、この様な電気的刺激は二極の電磁パルス間を電気が通る事によって成されるのであり、従って、電磁パルスの両極間の距離が短いと必然的に電磁気の及ぶ範囲も小さくなり、又、電気的刺激を広範囲に行き渡らせる為には、電圧を強くする必要が生じるからである。
【０００６】
これらの事を解り易くする為に、図を交え解説させて頂く。
図１の構造体は、特許文献１の肛門治療器である。（特許文献１：図１より引用。）
図１の構造体は、電気刺激用電極の両極ａ、ｂが電気的絶縁性を有する棒状体４に取り付けられた構造をしており、従って、肛門内に挿入される電磁パルスが一対の電極の両極を有する構造体である。
（尚、特許文献１の構成図の電気刺激用電圧発生回路に於ける細かな符号は、省略させて頂いた。又、図１に於いて、４は電気的絶縁性を有する棒状体、５は電気刺激用電圧発生回路、ａ及びｂは電気刺激用電極である。）
図２は、図１と同じ構造体の棒状体を肛門内に挿入し、内活筋Ａに適度な電気的刺激を与えた場合の断面の簡略図である。（尚、肛門括約筋は膣括約筋と連絡しているが、簡略化した。）
図２の肛門治療器の棒状体４を肛門Ｄ内に挿入、通電した場合、電気刺激用の一方の電極ａからもう一方の電極ｂに電気が流れ、図２の矢印付きの波線の様な電流帯が形成される。
図２の様に、内活筋Ａに適度な電気的刺激を与えた場合、
通電により形成された電流帯は、内活筋Ａのみに作用し、その電気的刺激は外活筋Ｂには及ばないか若しくは、外活筋Ｂには充分な電気的刺激は与えられない。
又、外活筋Ｂに充分な電気的刺激を与えようと電圧力を増せば、必然的に内活筋Ａに過剰な刺激を与えてしまい、不随意筋、即ち不随意性を有し自律神経系と関係する筋肉組織である内活筋Ａとそれに関わる自律神経系にダメージを負わせる可能性が生じるのである。
以上の事から、肛門括約筋の治療に於いて、内活筋に過剰な負荷をかけずに外活筋にまで充分な刺激を与え、肛門括約筋全体に満遍なく電気的刺激を行き渡らせる事は必須条件であると云えるが、特許文献１及び特許文献２の装置は、それが充分に満たされない形態であると云える。
【０００７】
又、特許文献３の膣括約筋回復器は、
膣内に挿入される電磁パルスが一対の電極の両極を有する構造体である為、
膣括約筋を傷めずに膣括約筋全体に満遍なく刺激を与える事が特許文献１及び特許文献２の括約筋治療器と同様の理由により困難な形態である。
その為、患者がこの装置を使用した場合、患部にダメージを与え、傷みを感じさせる可能性が高く、又、患部周辺の筋肉機能のアンバランスを招く可能性が生じる。（詳細を以下に記する。）
【０００８】
筋肉組織を鍛えるというのは、筋肉に適度な負荷をかける事に他ならない。
何故ならば、筋肥大とは筋肉組織に負荷をかける事によって僅かな亀裂を多数生じさせ、これを修復及び増強させる管轄である自然治癒機能により成されるものだからである。
これにより、筋肉組織への極端な負荷やバランスの悪い負荷のかけ方は、患部周辺の筋肉組織機能に障害を招く可能性が生じ、又、患部内の不随意性を有する筋肉組織と関係する自律神経系、及び筋組織を増強させる管轄である自然治癒機能にダメージを与える可能性が生じる為、避けなければならない。
【０００９】
又、産後の女性は妊娠中は胎児に栄養を送り続け、又、出産では膣に大きな亀裂が生じ、肉体も極度に疲労しているにも関わらず母乳を創る作業をしなければならない。
産後の女性は、膣の傷の治癒や肉体の疲労回復等、身体機能を回復させる作業の中で母乳創り（血液を母乳に作り変える作業）等、身体機能そのものに負担をかける事をするのだから、当然、これはその人の自然治癒力も妊娠前に比べ、衰える事になる。こういった理由から、膣括約筋の治癒へのアプローチはデリケートに行わなければならない。
【００１０】
しかし、特許文献３の膣括約筋回復器は、膣内に挿入される電磁パルスが一対の電極の両極を有する構造体である為、膣括約筋を傷めずに膣括約筋全体に満遍なく刺激を与える事が困難な形態である。
従って、特許文献３の膣括約筋回復器は、産後の伸びた膣括約筋の治癒に求められる
「産後の傷んだ膣括約筋を傷つける事なく、その機能を回復させる」という基本的要素が充分には満たされていない形態であると云える。
【００１１】
これらの事から、従来の高電圧、低周波の電磁パルスを肛門内に挿入し通電する事によって、括約筋の筋力強化を促すとされる装置である、特許文献１の肛門治療器、及び特許文献２の尿失禁治療装置等、又、電磁パルスを膣内に挿入し通電する事によって、膣括約筋の筋力強化を促すとされる装置である特許文献３の膣括約筋回復器等、従来の括約筋等の筋力強化を促すとされる技術は、先に挙げた様に、
括約筋治療器に於ける基本的要求である「括約筋の組織構造及び自律神経系への配慮」及び、筋肥大に於ける必要条件である「筋肉への負荷及び自然治癒力とのバランスへの配慮」に欠ける為、
「内括筋、或いは膣括約筋の内側に過剰な負荷を掛けずに括約筋全体に適度な刺激を行き渡らせる」事が困難という致命的な欠陥を有しており、
従って従来の括約筋等の筋力強化を促すとされる技術では、治療者の患部の回復に直接的に関わる「すでに解決がなされていなければならない基本的要求の解決」が未だに為されていないというのが現状であると云える。
以上の事から、老齢の括約筋の弛緩による尿漏れの治癒、又、産後の膣弛緩患部の筋肉組織機能の治癒は未だに困難であると云え、この事柄は、日本に於ける高齢化、及び少子化問題の一要因となっている。
本発明は、これらの問題点を解決する為に為されたものである。
【課題を解決するための手段】
【００１２】
この課題を解決するための手段としての請求項１の発明は、
高電圧、低周波の電磁パルスを人体に装着された電極を通じて通電する事によって低周波治療を行う装置に於いて、
電磁パルスの一対の電極の一方を肛門内、或いは膣内等の筋肉強化を要する部位に挿入可能な棒状及び筒状の形態を有し、他方を腹部や臀部等人体表面部に装着可能な板状の形態を有し、
高電圧、低周波の電磁パルスを当て、通電する事により、
肛門括約筋、或いは膣括約筋全体に適度な電気的刺激を与え、括約筋全体の筋力強化、及び機能の正常化を促す機能を有する。以上を特徴とする括約筋強化装置である。
【００１３】
図３は、請求項１の装置の形態の一例として、
電磁パルスの一対の電極の一方の棒状、或いは筒状の構造体１を肛門Ｄ内に挿入し、
他方の人体表面部に装着可能な構造体２を臀部Ｃに装着し、通電するかたちを採ったものであるが、
電磁パルスが一対の電極の両極を有する構造体を肛門内に挿入、通電し、肛門内からのアプローチのみで行われる場合に比べ、必然的に電気的刺激の及ぶ範囲が分散、拡大される。
これによって、内活筋Ａに過剰な負担を掛けずに外活筋Ｂにまで充分な電気的刺激を与え、肛門括約筋全体に満遍なく適度な電気的刺激を行き渡らせる事が可能となる。
【００１４】
請求項２の発明は、高電圧、低周波の電磁パルスの一対の電極の一方を肛門内、他方を膣内に挿入可能な棒状及び筒状の形態を有し、高電圧、低周波パルスを当て、通電する事によって、
肛門括約筋、及び膣括約筋双方から括約筋全体に適度な電気的刺激を与え、
括約筋全体の筋力強化、及び機能の正常化を促す機能を有する。以上を特徴とする請求項１に記載の括約筋強化装置である。
【００１５】
請求項３の発明は、高電圧、低周波の電磁パルス先端部を脱着可能にし、又、電磁パルス先端部のパーツとしての大きさの異なる構造体を複数設ける事により、
電磁パルスの一対の電極の一方を産後の膣弛緩患部の大きさに合わせて挿入する事を可能とし、産後の膣弛緩患部の様々な症状に合わせた適切な電気的刺激による筋肉組織の治癒を促す機能を有する。以上を特徴とする請求項１及び請求項２に記載の括約筋強化装置である。
【００１６】
図３に記した肛門Ｄ内に挿入した電磁パルス先端部のパーツである棒状、或いは筒状の構造体１は、１ａ部分での脱着が可能な形態である。
この様に、電磁パルス先端部のパーツを脱着可能にし、又、電磁パルス先端部のパーツとして、大きさの異なる構造体を複数設ければ、産後の膣括約筋弛緩等のデリケートな患部の様々な症状に合わせた適切な治療が可能となる。
【発明の効果】
【００１７】
請求項１の発明「高電圧、低周波の電磁パルスの一対の電極の一方を肛門内、或いは膣内等の筋肉強化を要する部位に挿入可能な棒状及び筒状の形態を有し、他方を腹部や臀部等人体表面部に装着可能な板状の形態を有し、高電圧、低周波の電磁パルスを当て、通電する技術」により、
肛門括約筋、或いは膣括約筋全体に適度な電気的刺激を行き渡らせることが初めて可能となり、これにより、括約筋組織全体の筋力強化、及び機能の正常化を促す事が初めて可能となる。
【００１８】
又、請求項２の発明「高電圧、低周波の電磁パルスの一対の電極の一方を肛門内、他方を膣内に挿入可能な棒状及び筒状の形態を有し、高電圧、低周波パルスを当て、通電する技術」により、
肛門括約筋、及び膣括約筋双方から括約筋全体に適度な電気的刺激を行き渡らせることが初めて可能となり、これにより、肛門括約筋、及び膣括約筋双方の全体的な筋力強化、及び機能の正常化を促す事が初めて可能となる。
【００１９】
又、請求項３の発明「高電圧、低周波の電磁パルス先端部を脱着可能にし、又、電磁パルス先端部のパーツとしての大きさの異なる構造体を複数設ける技術」により、
電磁パルスの一対の電極の一方を産後の膣弛緩患部の大きさに合わせて挿入する事を可能とし、産後の膣弛緩患部の様々な症状に合わせた電気的刺激による適切な筋肉組織治療が可能となる。
【００２０】
以上の事から、従来の技術では未だ満たされていなかった、括約筋治療に求められる基本的条件としての「外括筋と内括筋の組織構造及び自律神経系への配慮」と、筋肥大に於ける必須条件である「筋肉への負荷と自然治癒力とのバランスへの配慮」が充分になされた、電気的刺激による筋肉組織治療が初めて可能となる。
【発明を実施するための最良の形態】
【００２１】
高電圧、低周波の電磁パルスの一対の電極の一方を肛門内、或いは膣内に挿入可能な棒状及び筒状の形態を有し、他方を腹部、或いは臀部等人体表面部に装着可能な板状の形態を有し、高電圧、低周波パルスを装着、通電する事により肛門括約筋、及び膣括約筋等の筋力強化、及び機能の正常化を促す機能を有する形態。
【００２２】
高電圧、低周波の電磁パルスの一対の電極の一方を肛門内、他方を膣内に挿入可能な棒状及び筒状の形態を有し、高電圧、低周波の電磁パルスを装着、通電する事により括約筋全体を肛門、膣双方から刺激し、括約筋全体の筋力強化、及び機能の正常化を促す機能を有する形態。
【００２３】
高電圧、低周波の電磁パルス先端部を脱着可能にし、又、電磁パルス先端部のパーツとして大きさや形状の異なる構造体を複数設けることにより、００２１及び００２２に記載の形態が有する機能を包含した機能を有し、この電磁パルスを装着、通電する事により、産後の膣弛緩等の症状に合わせた電気的刺激による適切な筋肉組織治療が可能な形態。以上が、本発明を実施するための最良の形態である。
【産業上の利用可能性】
【００２４】
本発明に係る装置は、工業的に量産する事が可能であるため、産業上の利用可能性を有する。
【図面の簡単な説明】
【００２５】
【図１】特許文献１の肛門治療器の構成図である。（特許文献１：図１より引用）
【図２】図１と同じ構造体の棒状体を肛門内に挿入、通電した場合の断面の簡略図である。
【図３】請求項１に記載の構造体の一例である。  電磁パルスの一対の電極の一方を肛門内に挿入し、他方を臀部に装着し、通電するかたちを採ったものである。  なお、図３に記した矢印付きの波線は、通電によって形成される電流帯である。
【符号の説明】
【００２６】
Ａ．内括筋（内肛門括約筋）
Ｂ．外括筋（外肛門括約筋）
Ｃ．臀部
Ｄ．肛門
１．電磁パルス先端部のパーツである棒状、或いは筒状の構造体
１ａ．電磁パルス先端部の棒状、或いは筒状の構造体に於ける脱着が可能な部分
１ｂ．電磁パルス先端部の棒状、或いは筒状の構造体の電極部
２．電磁パルス先端部の板状の構造体
３．コントローラ
４．電気的絶縁性を有する棒状体
５．電気刺激用電圧発生回路
ａ．電気刺激用電極
ｂ．電気刺激用電極
【手続補正４】
【補正対象書類名】図面
【補正対象項目名】全図
【補正方法】追加
【補正の内容】
【図１】
2007195655.tif 000002
【図２】
2007195655.tif 000003
【図３】
2007195655.tif 000004